(57)【要約】【課題】録画装置において、他のユーザに知られることなくテレビ番組を録画することができ、プライバシーを保護することができる。【解決手段】録画装置は、録画中である旨の表示をして録画する通常録画処理と、録画中である旨の表示をせずに電源オフ状態であるときと同様の表示をして録画するシークレット録画処理とを行う。録画装置は、シークレット録画処理の設定開始時刻になったとき（＃１でＹＥＳ）、電源オフ状態であって（＃２でＹＥＳ）、通常録画処理中でなければ（＃３でＮＯ）、シークレット録画処理を開始する（＃４）。また、録画装置は、シークレット録画処理中に（＃５）電源オン操作されると（＃６でＹＥＳ）、シークレット録画処理を停止して（＃１０）、前回電源オフ操作時のチャンネルのテレビ放送信号を受信する（＃１１）。【選択図】図４
2006041889.tif 000002
【特許請求の範囲】
【請求項１】
映像を符号化した映像符号化信号を記録するためのハードディスクと、放送局から配信されるテレビ放送信号を受信する受信手段と、前記受信手段で受信したテレビ放送信号を基に、前記テレビ放送信号に含まれるテレビ番組の映像を本装置に接続されるディスプレイに映し出すための映像信号を生成する受信信号復調手段と、前記受信信号復調手段により生成された映像信号を基に、前記テレビ番組の映像を符号化した映像符号化信号を生成する符号化信号生成手段と、前記符号化信号生成手段により生成された映像符号化信号を前記ハードディスクに記録することにより、前記テレビ放送信号に含まれるテレビ番組の映像を録画する録画手段と、前記録画手段による録画動作を含む本装置の動作状態に関する表示を行うための表示手段と、本装置の動作を指示するために操作される操作手段と、前記操作手段による操作に応じて、前記受信手段による受信動作、前記録画手段による録画動作、前記表示手段による表示動作、及び本装置の電源のオン／オフ動作を制御する制御手段とを備えた録画装置において、
前記制御手段は、
前記表示手段に録画中である旨の表示を行わせて前記録画手段に録画動作を行わせる通常録画処理を行う通常録画処理手段と、
前記表示手段に録画中である旨の表示を行わせずに電源オフ状態であるときと同様の表示を行わせて前記録画手段に録画動作を行わせるシークレット録画処理を行うシークレット録画処理手段と、
前記操作手段の操作に応じて前記通常録画処理手段による通常録画処理及び前記シークレット録画処理手段によるシークレット録画処理の開始時刻と終了時刻を予約設定する予約録画設定手段と、
前記操作手段により電源オフ操作がなされたときに前記受信手段で受信していたチャンネルを記憶するチャンネル記憶手段とを有し、
前記予約録画設定手段により設定されたシークレット録画処理の設定開始時刻になったとき、電源オフ状態であって通常録画処理中でない場合に、前記シークレット録画処理手段によるシークレット録画処理を開始し、
シークレット録画処理中に前記操作手段により電源オン操作がなされると、シークレット録画処理を停止して、前記チャンネル記憶手段により記憶された前回電源オフ操作されたときのチャンネルで前記受信手段にテレビ放送信号を受信させ、
テレビ放送信号の受信中に電源オフ操作がなされたとき、シークレット録画処理の設定時間帯内である場合に、シークレット録画処理を再開し、
また、シークレット録画処理中に通常録画処理の設定開始時刻になると、シークレット録画処理を停止して、通常録画処理を開始し、
通常録画処理中に通常録画処理の設定終了時刻になったとき、シークレット録画処理の設定時間帯内である場合に、シークレット録画処理を再開することを特徴とする録画装置。
【請求項２】
放送局から配信されるテレビ放送信号を受信する受信手段と、前記受信手段で受信したテレビ放送信号を基に、前記テレビ放送信号に含まれるテレビ番組の映像を本装置に接続されるディスプレイに映し出すための映像信号を生成する受信信号復調手段と、前記受信信号復調手段により生成された映像信号を基に、前記テレビ番組の映像を符号化した映像符号化信号を生成する符号化信号生成手段と、前記符号化信号生成手段により生成された映像符号化信号を記録媒体に記録することにより、前記テレビ放送信号に含まれるテレビ番組の映像を録画する録画手段と、前記録画手段による録画動作に関する表示を行うための表示手段と、本装置の動作を指示するために操作される操作手段と、前記操作手段による操作に応じて、前記録画手段による録画動作及び前記表示手段による表示動作を含む本装置の動作を制御する制御手段とを備えた録画装置において、
前記制御手段は、前記表示手段に録画中である旨の表示を行わせずに前記録画手段に録画動作を行わせるシークレット録画処理を行うシークレット録画処理手段を有することを特徴とする録画装置。
【請求項３】
前記制御手段は、
前記操作手段により電源オフ操作がなされたときに前記受信手段で受信していたチャンネルを記憶するチャンネル記憶手段をさらに有し、
シークレット録画処理中に前記操作手段により電源オン操作がなされると、シークレット録画処理を停止して、前記チャンネル記憶手段により記憶された前回電源オフ操作されたときのチャンネルで前記受信手段にテレビ放送信号を受信させる請求項２に記載の録画装置。
【発明の詳細な説明】
【技術分野】
【０００１】
本発明は、テレビ放送信号により配信されるテレビ番組を録画する録画装置に関するものである。
【背景技術】
【０００２】
従来より、テレビ番組を録画する録画装置は、例えば内蔵のハードディスクにテレビ番組の映像を録画するハードディスクレコーダがある。この種の録画装置は、装置の動作状態等を表示する表示部が装置本体のフロントパネルに設けられており、録画動作中においては、録画動作中であることを表示部に表示するようになっている。また、予約録画が行われた後は、電源オンすると、予約録画したチャンネルのテレビ放送信号を受信するようになっている。
【０００３】
また、録画した番組の履歴を作成し、その履歴を基に今後放送される予定の番組の優先度を算出して、ユーザが視聴する可能性の高い番組を推定し、その番組を自動的に録画予約するようにした録画装置が知られている（例えば、特許文献１参照）。また、録画対象のＡＶデータをユーザに固有の情報を用いて暗号化して記憶することにより、各ユーザの録画データの内容を他のユーザに見られないようにした録画装置も知られている（例えば、特許文献２参照）。
【０００４】
さらに、ユーザの入力操作によって指定されたコンテンツを録画予約する手動予約と、予め設定された条件を満たすコンテンツを録画予約する自動予約とを行い、手動予約と自動予約とで重複予約が生じるときに、手動予約を優先させてコンテンツを録画するようにした録画装置も知られている（例えば、特許文献３参照）。また、録画しながら同時に再生する同時記録再生モードのときは、該モードであることを表示し、同時記録再生モードのときに早送り又は早戻しが行われたときは、現在録画している時刻と再生している時刻との差分を表示するようにした録画装置も知られている（例えば、特許文献４参照）。
【特許文献１】特開２００２−６４７７１号公報
【特許文献２】特開２００２−１５７８２１号公報
【特許文献３】特開２００４−１５３７２９号公報
【特許文献４】特開２００１−１１８３７４号公報
【発明の開示】
【発明が解決しようとする課題】
【０００５】
ところが、上述した従来の録画装置においては、録画中であることが表示部に表示されるため、録画動作中に他のユーザに表示部を見られると、録画していることが他のユーザに知られてしまう。また、予約録画が行われた後に電源オンした場合は予約録画したチャンネルのテレビ放送信号が受信されるため、他のユーザが電源オンした時、受信されたチャンネルが前回電源オフ時のチャンネルと異なっていると、録画していたことが他のユーザに知られてしまう。
【０００６】
このように、従来の録画装置では、テレビ番組を録画していたことが他のユーザに知られてしまい、その結果、録画内容を他のユーザに見られて、どのようなテレビ番組を録画しているのか他のユーザに知られてしまい、プライバシーが保護されない虞がある。なお、上述した特許文献１乃至特許文献４に開示の内容を適用したとしても、上記の課題を解決することはできない。
【０００７】
本発明は、上記課題を解決するためになされたものであり、他のユーザに知られることなくテレビ番組を録画することができ、プライバシーを保護することができる録画装置を提供することを目的とする。
【課題を解決するための手段】
【０００８】
上記目的を達成するために請求項１の発明は、映像を符号化した映像符号化信号を記録するためのハードディスクと、放送局から配信されるテレビ放送信号を受信する受信手段と、受信手段で受信したテレビ放送信号を基に、テレビ放送信号に含まれるテレビ番組の映像を本装置に接続されるディスプレイに映し出すための映像信号を生成する受信信号復調手段と、受信信号復調手段により生成された映像信号を基に、テレビ番組の映像を符号化した映像符号化信号を生成する符号化信号生成手段と、符号化信号生成手段により生成された映像符号化信号をハードディスクに記録することにより、テレビ放送信号に含まれるテレビ番組の映像を録画する録画手段と、録画手段による録画動作を含む本装置の動作状態に関する表示を行うための表示手段と、本装置の動作を指示するために操作される操作手段と、操作手段による操作に応じて、受信手段による受信動作、録画手段による録画動作、表示手段による表示動作、及び本装置の電源のオン／オフ動作を制御する制御手段とを備えた録画装置において、制御手段は、表示手段に録画中である旨の表示を行わせて録画手段に録画動作を行わせる通常録画処理を行う通常録画処理手段と、表示手段に録画中である旨の表示を行わせずに電源オフ状態であるときと同様の表示を行わせて録画手段に録画動作を行わせるシークレット録画処理を行うシークレット録画処理手段と、操作手段の操作に応じて通常録画処理手段による通常録画処理及びシークレット録画処理手段によるシークレット録画処理の開始時刻と終了時刻を予約設定する予約録画設定手段と、操作手段により電源オフ操作がなされたときに受信手段で受信していたチャンネルを記憶するチャンネル記憶手段とを有し、予約録画設定手段により設定されたシークレット録画処理の設定開始時刻になったとき、電源オフ状態であって通常録画処理中でない場合に、シークレット録画処理手段によるシークレット録画処理を開始し、シークレット録画処理中に操作手段により電源オン操作がなされると、シークレット録画処理を停止して、チャンネル記憶手段により記憶された前回電源オフ操作されたときのチャンネルで受信手段にテレビ放送信号を受信させ、テレビ放送信号の受信中に電源オフ操作がなされたとき、シークレット録画処理の設定時間帯内である場合に、シークレット録画処理を再開し、また、シークレット録画処理中に通常録画処理の設定開始時刻になると、シークレット録画処理を停止して、通常録画処理を開始し、通常録画処理中に通常録画処理の設定終了時刻になったとき、シークレット録画処理の設定時間帯内である場合に、シークレット録画処理を再開するものである。
【０００９】
請求項２の発明は、放送局から配信されるテレビ放送信号を受信する受信手段と、受信手段で受信したテレビ放送信号を基に、テレビ放送信号に含まれるテレビ番組の映像を本装置に接続されるディスプレイに映し出すための映像信号を生成する受信信号復調手段と、受信信号復調手段により生成された映像信号を基に、テレビ番組の映像を符号化した映像符号化信号を生成する符号化信号生成手段と、符号化信号生成手段により生成された映像符号化信号を記録媒体に記録することにより、テレビ放送信号に含まれるテレビ番組の映像を録画する録画手段と、録画手段による録画動作に関する表示を行うための表示手段と、本装置の動作を指示するために操作される操作手段と、操作手段による操作に応じて、録画手段による録画動作及び表示手段による表示動作を含む本装置の動作を制御する制御手段とを備えた録画装置において、制御手段は、表示手段に録画中である旨の表示を行わせずに録画手段に録画動作を行わせるシークレット録画処理を行うシークレット録画処理手段を有するものである。
【００１０】
請求項３の発明は、請求項２に記載の録画装置において、制御手段は、操作手段により電源オフ操作がなされたときに受信手段で受信していたチャンネルを記憶するチャンネル記憶手段をさらに有し、シークレット録画処理中に操作手段により電源オン操作がなされると、シークレット録画処理を停止して、チャンネル記憶手段により記憶された前回電源オフ操作されたときのチャンネルで受信手段にテレビ放送信号を受信させるものである。
【発明の効果】
【００１１】
請求項１の発明によれば、操作手段を操作してシークレット録画処理を設定し、シークレット録画処理を行うことにより、表示手段に録画中である旨の表示をさせずに電源オフ状態であるときと同様の表示をさせて録画することができる。従って、シークレット録画処理中に表示手段を見ても表示手段は電源オフ状態の表示であり、これにより、他のユーザに知られることなくテレビ番組を録画することができ、どのようなテレビ番組を録画しているのか他のユーザに知られることがなく、プライバシーを保護することができる。
【００１２】
しかも、シークレット録画処理中に電源オン操作されたときは、シークレット録画処理が停止されて、前回電源オフ操作されたときと同じチャンネルのテレビ放送信号が受信される。従って、シークレット録画処理中に電源オン操作されたときにシークレット録画されていた痕跡が残らず、これにより、より確実に他のユーザに知られることなくテレビ番組を録画することができる。また、シークレット録画処理中に通常録画処理の設定開始時刻になったときは、シークレット録画処理が停止されて、通常録画処理が開始される。従って、シークレット録画処理中に通常録画処理の設定開始時刻になったときにもシークレット録画されていた痕跡が残らず、これにより、より確実に他のユーザに知られることなくテレビ番組を録画することができる。
【００１３】
また、テレビ放送信号の受信中に電源オフ操作がなされたとき、及び通常録画処理中に通常録画処理の設定終了時刻になったときは、シークレット録画処理の設定時間帯内であれば、シークレット録画処理が再開される。これにより、少しでも多くのテレビ番組の映像を録画することができる。
【００１４】
請求項２の発明によれば、シークレット録画処理を行うことにより、表示手段に録画中である旨の表示をさせずに電源オフ状態であるときと同様の表示をさせて録画することができる。従って、シークレット録画処理中に表示手段を見ても表示手段は電源オフ状態の表示であり、これにより、他のユーザに知られることなくテレビ番組を録画することができ、どのようなテレビ番組を録画しているのか他のユーザに知られることがなく、プライバシーを保護することができる。
【００１５】
請求項３の発明によれば、シークレット録画処理中に電源オン操作された場合は、シークレット録画処理が停止されて、前回電源オフ操作されたときと同じチャンネルのテレビ放送信号が受信される。従って、シークレット録画されていた痕跡が残らず、これにより、より確実に他のユーザに知られることなくテレビ番組を録画することができる。
【発明を実施するための最良の形態】
【００１６】
以下、本発明を具体化した実施形態による録画装置について図面を参照して説明する。図１は、録画装置であるハードディスクレコーダの概略構成を示し、図２は、ハードディスクレコーダに内蔵のＨＤＤ（ハードディスクドライブ）の概略構成を示す。
【００１７】
ハードディスクレコーダ１は、放送局から配信されるテレビ放送信号を本装置に接続されるアンテナ２を介して受信し、テレビ放送信号に含まれるテレビ番組の映像をＨＤＤ１４に内蔵の記録媒体であるハードディスク４１に録画すると共に、ハードディスク４１に録画した映像を本装置に接続されるディスプレイ３にて再生する装置である。このハードディスクレコーダ１は、ユーザの操作により、録画中である旨を表示して録画する通常録画処理と、録画中である旨を表示せずに録画するシークレット録画処理を行うようになっている。
【００１８】
ハードディスクレコーダ１は、ハードディスクレコーダ１を制御するためのＣＰＵ等からなるシステム制御部１１と、放送信号受信部１２と、受信信号復調部１３と、ＨＤＤ１４と、映像・音声信号／符号化信号生成部１５と、操作手段であるリモコン１６と、リモコン受信部１７と、動作状態表示部１８と、ＯＳＤ処理部１９と、設定メモリ２０と、ＲＯＭ２１とを備えている。
【００１９】
放送信号受信部１２は、システム制御部１１による制御のもと、その受信周波数を放送局から配信されるテレビ放送信号の周波数に同調させることにより、テレビ放送信号をアンテナ２を介して受信する。
【００２０】
受信信号復調部１３は、システム制御部１１による制御のもと、放送信号受信部１２で受信したテレビ放送信号を復調し、テレビ放送信号に含まれるテレビ番組の映像・音声をディスプレイ３及びスピーカ４に表示・出力するための映像・音声信号を生成する。受信信号復調部１３にて生成された映像・音声信号は、ＯＳＤ処理部１９を介してディスプレイ３及びスピーカ４に出力される。これにより、テレビ放送の映像・音声がディスプレイ３及びスピーカ４にて表示・出力される。また、受信信号復調部１３にて生成された映像・音声信号は、映像・音声信号／符号化信号生成部１５に出力される。
【００２１】
ＨＤＤ１４は、複数枚のハードディスク４１と、複数の磁気ヘッド４２と、ヘッド駆動部４３と、バッファメモリ４４と、ＨＤＤ制御部４５とを備えている。ハードディスク４１は、映像・音声を符号化した映像・音声符号化信号を記録するための記録媒体である。磁気ヘッド４２は、ヘッド駆動部４３により駆動されて、ハードディスク４１に対して映像・音声符号化信号の記録／読取を行う。バッファメモリ４４は、ハードディスク４１に記録する映像・音声符号化信号、及びハードディスク４１から読取った映像・音声符号化信号を一時的に保存する。ＨＤＤ制御部４５は、システム制御部１１による制御のもと、システム制御部１１による制御のもと、ハードディスク４１に対する映像・音声符号化信号の記録／読取を含むＨＤＤ１４全体の動作を制御する。
【００２２】
ＨＤＤ１４は、システム制御部１１による制御のもと、ＨＤＤ制御部４５に入力される映像・音声符号化信号をハードディスク４１に記録することにより、映像・音声を録画・録音し、また、ハードディスク４１に記録された映像・音声符号化信号を読取ってＨＤＤ制御部４５から出力する。磁気ヘッド４２、ヘッド駆動部４３、及びＨＤＤ制御部４５により、映像を録画する録画手段が構成されている。
【００２３】
映像・音声信号／符号化信号生成部１５は、システム制御部１１による制御のもと、受信信号復調部１３にて生成された映像・音声信号を基に、テレビ放送信号に含まれるテレビ番組の映像・音声を符号化した映像・音声符号化信号を生成する。映像・音声信号／符号化信号生成部１５にて生成された映像・音声符号化信号は、ＨＤＤ１４のＨＤＤ制御部４５に入力される。ＨＤＤ１４は、システム制御部１１による制御のもと、映像・音声信号／符号化信号生成部１５にて生成された映像・音声符号化信号、すなわちテレビ放送信号に含まれるテレビ番組の映像・音声を符号化した映像・音声符号化信号をハードディスク４１に記録する。これにより、テレビ放送信号に含まれるテレビ番組の映像・音声が録画・録音される。
【００２４】
また、映像・音声信号／符号化信号生成部１５は、システム制御部１１による制御のもと、ハードディスク４１から読取られてＨＤＤ１４から出力される映像・音声符号化信号を基に、映像・音声をディスプレイ３及びスピーカ４にて再生するための映像・音声信号を生成する。映像・音声信号／符号化信号生成部１５にて生成された映像・音声信号は、ＯＳＤ処理部１９を介してディスプレイ３及びスピーカ４に出力される。これにより、ＨＤＤ１４に記録されている映像・音声符号化信号による映像・音声、すなわちハードディスク４１に録画・録音されているテレビ番組の映像・音声がディスプレイ３及びスピーカ４にて再生される。
【００２５】
リモコン１６は、電源のオン／オフ、テレビ放送信号の受信チャンネルの選択、通常録画の予約録画設定、シークレット録画の予約録画設定、録画・録音した映像・音声の再生等、ハードディスクレコーダ１の各種動作を指示するためにユーザにより操作されるものであり、各種動作を指示するためにユーザに操作される各種操作キー（何れも不図示）を備えている。リモコン１６は、各種操作キーが操作されることにより、その操作に対応付けられた赤外線コード信号を送出する。リモコン受信部１７は、リモコン１６から送出された赤外線コード信号を受光して電気信号に変換し、リモコン１６の操作に対応する信号をシステム制御部１１へ出力する。
【００２６】
動作状態表示部１８は、システム制御部１１による制御のもと、テレビ放送信号の受信チャンネル、録画動作中である旨、現在時刻等、ハードディスクレコーダ１の動作状態等に関する表示を行う。この動作状態表示部１８は、ユーザにより視認可能なように、ハードディスクレコーダ１本体のフロントパネルに設けられている。動作状態表示部１８の構成及び表示動作の詳細については後述する。
【００２７】
ＯＳＤ処理部１９は、システム制御部１１による制御のもと、リモコン１６の操作内容やメニュー画面等の画像をディスプレイ３に表示するための各種オンスクリーン表示信号を、受信信号復調部１３及び映像・音声信号／符号化信号生成部１５から出力される映像信号に重畳する。これにより、オンスクリーン表示信号による画像が重ねられた映像がディスプレイ３に表示される。設定メモリ２０は、システム制御部１１による制御のもと、通常録画の予約録画設定データ、シークレット録画の予約録画設定データ、電源オフ操作時に受信していたチャンネルを示すチャンネルデータ等を記憶する。ＲＯＭ２１は、システム制御部１１の動作プログラムを格納している。
【００２８】
システム制御部１１は、ハードディスクレコーダ１の以下の動作を制御する。（１）ハードディスクレコーダ１の電源のオン／オフ動作を制御する。（２）放送信号受信部１２の受信周波数を制御することにより、テレビ放送信号の受信動作を制御する。（３）映像・音声信号／符号化信号生成部１５による映像・音声符号化信号の生成、及びＨＤＤ１４によるハードディスク４１への映像・音声符号化信号の記録を制御することにより、テレビ放送信号に含まれるテレビ番組の映像・音声の録画・録音動作を制御する。（４）ＨＤＤ１４によるハードディスク４１からの映像・音声符号化信号の読取り、及び映像・音声信号／符号化信号生成部１５による映像・音声信号の生成を制御することにより、録画・録音されたテレビ番組の映像・音声の再生動作を制御する。（５）動作状態表示部１８によるハードディスクレコーダ１の各種動作状態に関する表示動作等を制御する。
【００２９】
また、システム制御部１１は、録画・録音動作の制御において、動作状態表示部１８に録画中である旨を表示して録画・録音動作を行う通常録画処理と、動作状態表示部１８に録画中である旨を表示せずに録画・録音動作を行うシークレット録画処理を行う。通常録画処理及びシークレット録画処理は、リモコン１６を操作して、通常録画処理を行う旨又はシークレット録画処理を行う旨を指示し、さらに録画開始時刻、録画終了時刻、録画するテレビ番組のチャンネルを指示することにより、予約録画として設定される。システム制御部１１は、リモコン１６の操作により指示された通常録画処理及びシークレット録画処理の開始時刻、終了時刻、録画チャンネル等を設定することにより、通常録画処理及びシークレット録画処理の予約録画を設定し、これら通常録画処理及びシークレット録画処理の開始時刻、終了時刻、録画チャンネル等の設定内容を予約録画設定データとして設定メモリ２０に記憶する。また、システム制御部１１は、電源オフ操作がなされたときに放送信号受信部１２で受信していたチャンネルを示すチャンネルデータを設定メモリ２０に記憶する。
【００３０】
システム制御部１１は、リモコン受信部１７からの出力信号を基にリモコン１６の操作内容を判断し、リモコン１６の操作内容及び設定メモリ２０に記憶されている予約録画設定データ及びチャンネルデータを基に、上述の（１）電源のオン／オフ動作、（２）テレビ放送信号の受信動作、（３）テレビ番組の録画・録音動作、（４）録画・録音されたテレビ番組の再生動作、（５）動作状態表示部１８による表示動作等を制御する。
【００３１】
図３（ａ）（ｂ）は上記動作状態表示部１８の構成を示す。動作状態表示部１８は、上述のようにハードディスクレコーダ１の動作状態等に関する表示を行うものであり、ハードディスクレコーダ１本体のフロントパネル１ａに設けられており、録画ＬＥＤ８１と、録画動作表示部８２と、チャンネル表示部８３と、録画／再生カウンタ表示部８４と、時刻表示部８５とを有している。
【００３２】
録画ＬＥＤ８１及び録画動作表示部８２は、通常録画処理中であることを表示するものである。録画ＬＥＤ８１は、通常録画処理を行っているときは点灯し、通常録画処理を行っていないときは消灯する。録画動作表示部８２は、通常録画処理を行っているときは、「録画中」の文字を表示し、通常録画処理を行っていないときは、何も表示しない。チャンネル表示部８３は、テレビ放送信号の受信チャンネルを表示するものであり、テレビ放送信号を受信しているとき（従って、録画しているときも含む）は、その受信チャンネルを表示し、テレビ放送信号を受信していないときは、何も表示しない。
【００３３】
録画／再生カウンタ表示部８４は、通常録画処理を行っているときは、録画を開始してからの経過時間を表示し、再生処理を行っているときは、再生を開始してからの経過時間を表示し、通常録画処理及び再生処理を行っていないときは、何も表示しない。時刻表示部８５は、現在時刻を表示するものであり、電源オフ状態にあるとき及び通常録画処理を行っているときを含む全ての動作状態のときに、現在時刻を表示する。
【００３４】
このような構成の動作状態表示部１８は、電源オフ状態にあるときは、図３（ａ）に示すように、録画ＬＥＤ８１を消灯し、録画動作表示部８２、チャンネル表示部８３、及び録画／再生カウンタ表示部８４に何も表示せず、時刻表示部８５に現在時刻（図示の例では「１９：００」）を表示する。
【００３５】
また、通常録画処理を行っているときは、図３（ｂ）に示すように、時刻表示部８５に現在時刻（図示の例では「２０：２２」）を表示することに加えて、録画ＬＥＤ８１を点灯し、録画動作表示部８２に「録画中」の文字を表示し、チャンネル表示部８３に録画しているテレビ番組のチャンネル（図示の例では「６ＣＨ」）を表示し、録画／再生カウンタ表示部８４に録画開始からの経過時間（図示の例では「０１：２２．３３」）を表示する。
【００３６】
また、シークレット録画処理を行っているときは、電源オフ状態にあるときと同様に（従って図３（ａ）に示すのと同様に）、録画ＬＥＤ８１を消灯し、録画動作表示部８２、チャンネル表示部８３、及び録画／再生カウンタ表示部８４に何も表示せず、時刻表示部８５に現在時刻を表示する。
【００３７】
図４は、上記ハードディスクレコーダ１の動作フローチャートを示す。システム制御部１１は、シークレット録画処理の設定開始時刻になったとき（＃１でＹＥＳ）、電源オフ状態であって（＃２でＹＥＳ）、通常録画処理中でなければ（＃３でＮＯ）、シークレット録画処理を開始する（＃４）。このとき、システム制御部１１は、動作状態表示部１８に録画中である旨を表示させずに電源オフ状態であるときと同様の表示をさせる。すなわち、動作状態表示部１８では、録画ＬＥＤ８１が消灯され、録画動作表示部８２、チャンネル表示部８３、及び録画／再生カウンタ表示部８４に何も表示されず、時刻表示部８５に現在時刻が表示される（図３（ａ）参照）。
【００３８】
その後、シークレット録画処理中に（＃５）、リモコン１６により電源オン操作されず（＃６でＮＯ）、通常録画処理の設定開始時刻にならず（＃７でＮＯ）、さらに、シークレット録画処理の設定終了時刻にならなければ（＃８でＮＯ）、システム制御部１１は、上記＃５以降の処理を繰り返す。すなわち、システム制御部１１は、電源オン操作されるか、通常録画処理の設定開始時刻になるか、シークレット録画処理の設定終了時刻になるまで、シークレット録画処理を継続する。そして、シークレット録画処理中にシークレット録画処理の設定終了時刻になると（＃８でＹＥＳ）、システム制御部１１は、シークレット録画処理を終了する（＃９）。
【００３９】
一方、シークレット録画処理中にリモコン１６により電源オン操作されると（＃６でＹＥＳ）、システム制御部１１は、シークレット録画処理を停止して（＃１０）、設定メモリ２０に記憶されている前回電源オフ操作時のチャンネルで放送信号受信部１２にテレビ放送信号を受信させる（＃１１）。例えば、前回１０ＣＨを受信中に電源オフ操作されていて、８ＣＨのテレビ番組をシークレット録画処理しているときに電源オン操作された場合、１０ＣＨを受信させる。このとき、システム制御部１１は、動作状態表示部１８に警告メッセージ等を表示させず、電源オフ状態であるときと同様の表示を持続させる。
【００４０】
その後、テレビ放送信号の受信中に（＃１２）、電源オフ操作がなされると（＃１３でＹＥＳ）、システム制御部１１は、そのとき受信しているテレビ放送信号のチャンネルを設定メモリ２０に記憶する（＃１４）。そして、電源オフ操作されたときシークレット録画処理の設定時間帯内であれば（＃１５でＹＥＳ）、その時刻からシークレット録画処理を開始し（＃１６）、すなわちシークレット録画処理を再開し、上記＃８以降の処理を繰り返す。また、電源オフ操作されたときシークレット録画処理の設定時間帯内でなければ（＃１５でＮＯ）、上記＃１からの処理を繰り返す。
【００４１】
また、シークレット録画処理中に通常録画処理の設定開始時刻になると（＃７でＹＥＳ）、システム制御部１１は、シークレット録画処理を停止して（＃１７）、通常録画処理を開始する（＃１８）。すなわち、シークレット録画処理と通常録画処理が重複する場合は、通常録画処理を優先する。このとき、システム制御部１１は、動作状態表示部１８に録画処理が重複する旨の警告メッセージ等を表示させず、電源オフ状態であるときと同様の表示を持続させる。
【００４２】
その後、通常録画処理中に（＃１９）、通常録画処理の設定終了時刻になると（＃２０でＹＥＳ）、システム制御部１１は、通常録画処理を終了する（＃２０）。そして、通常録画処理の設定終了時刻になったときシークレット録画処理の設定時間帯内であれば（＃１５でＹＥＳ）、その時刻からシークレット録画処理を開始し（＃１６）、すなわちシークレット録画処理を再開し、上記＃８以降の処理を繰り返す。また、通常録画処理の設定終了時刻になったときシークレット録画処理の設定時間帯内でなければ（＃１５でＮＯ）、上記＃１からの処理を繰り返す。
【００４３】
また、上記＃２で電源オフ状態でなければ（＃２でＮＯ）、すなわち電源オン状態でシークレット録画処理の設定開始時刻になったときは、システム制御部１１は、シークレット録画処理は行わず、そのままテレビ放送信号の受信を継続させ（＃１２）、＃１３以降の処理を行う。このとき、システム制御部１１は、動作状態表示部１８に警告メッセージ等を表示させず、電源オフ状態であるときと同様の表示を持続させる。
【００４４】
また、上記＃３で通常録画処理中であれば（＃３でＮＯ）、すなわち通常録画処理中にシークレット録画処理の設定開始時刻になったときは、システム制御部１１は、シークレット録画処理は行わず、そのまま通常録画処理を継続させ（＃１９）、＃２０以降の処理を行う。このとき、システム制御部１１は、動作状態表示部１８に警告メッセージ等を表示させず、電源オフ状態であるときと同様の表示を持続させる。
【００４５】
このような構成のハードディスクレコーダ１によれば、リモコン１６を操作してシークレット録画処理を設定し、シークレット録画処理を行うことにより、動作状態表示部１８に録画中である旨の表示をさせずに電源オフ状態であるときと同様の表示をさせて録画することができる。従って、シークレット録画処理中に動作状態表示部１８を見ても動作状態表示部１８は電源オフ状態の表示であり、これにより、他のユーザに知られることなくテレビ番組を録画することができ、どのようなテレビ番組を録画しているのか他のユーザに知られることがなく、プライバシーを保護することができる。
【００４６】
しかも、シークレット録画処理中に電源オン操作されたときは、シークレット録画処理が停止されて、前回電源オフ操作されたときと同じチャンネルのテレビ放送信号が受信される。従って、シークレット録画処理中に電源オン操作されたときにシークレット録画されていた痕跡が残らず、これにより、より確実に他のユーザに知られることなくテレビ番組を録画することができる。また、シークレット録画処理中に通常録画処理の設定開始時刻になったときは、シークレット録画処理が停止されて、通常録画処理が開始される。従って、シークレット録画処理中に通常録画処理の設定開始時刻になったときにもシークレット録画されていた痕跡が残らず、これにより、より確実に他のユーザに知られることなくテレビ番組を録画することができる。
【００４７】
また、テレビ放送信号の受信中に電源オフ操作がなされたとき、及び通常録画処理中に通常録画処理の設定終了時刻になったときは、シークレット録画処理の設定時間帯内であれば、その時刻からシークレット録画処理が開始される。これにより、少しでも多くのテレビ番組の映像を録画することができる。
【００４８】
なお、本発明は、上記実施形態の構成に限られず、種々の変形が可能である。例えば、上記第１の実施形態において、シークレット録画処理が行われているときの動作状態表示部１８の表示は、電源オフ状態であるときと同様の表示に限られず、録画動作していることが判らない表示であれば、どのような表示であってもよい。また、シークレット録画処理中に電源オン操作したとき、必ずしも前回電源オフ操作されたときと同じチャンネルを受信させる必要はなく、シークレット録画処理にて録画していたチャンネルを受信させてもよい。このような構成によっても、他のユーザに知られることなく録画できる効果は十分に得られる。また、本発明は、ハードディスクレコーダに限らず、ＤＶＤ（デジタルビデオディスク）レコーダやＶＣＲ（ビデオカセットレコーダ）等の録画装置にも適用できるものである。
【図面の簡単な説明】
【００４９】
【図１】本発明の一実施形態によるハードディスクレコーダの概略構成を示す電気的ブロック構成図。
【図２】同ハードディスクレコーダのＨＤＤの概略構成を示す電気的ブロック構成図。
【図３】同ハードディスクレコーダの動作状態表示部の構成を示す平面図であり、（ａ）は電源オフ状態にあるとき及びシークレット録画処理中の表示例を示す図、（ｂ）は通常録画処理中の表示例を示す図。
【図４】同ハードディスクレコーダの動作を示すフローチャート。
【符号の説明】
【００５０】
１    ハードディスクレコーダ（録画装置）
３    ディスプレイ
４    スピーカ
１１    システム制御部
１２    放送信号受信部
１３    受信信号復調部
１４    ＨＤＤ
１５    映像・音声信号／符号化信号生成部
１６    リモコン（操作手段）
１８    動作状態表示部
２０    設定メモリ
４１    ハードディスク（記録媒体）
４２    磁気ヘッド（録画手段）
４３    ヘッド駆動部（録画手段）
４５    ＨＤＤ制御部（録画手段）
８１    録画ＬＥＤ
８２    録画動作表示部
８３    チャンネル表示部
８４    録画／再生カウンタ表示部
８５    時刻表示部
【図１】
2006041889.tif 000003
【図２】
2006041889.tif 000004
【図３】
2006041889.tif 000005
【図４】
2006041889.tif 000006